(57)【要約】      （修正有）【課題】ボタンパンチハゼの嵌入掛止にて組立てる角筒形ダクトを騒音を発生することなく誰でも容易に組立てることのできるダクト組立て用の手持ち工具を新規に提供する。【解決手段】ダクトの成形用素板１７ａ，１７ｂの各連結辺に形成したボタンパンチハゼの雌雄ハゼＢ，Ａ間を嵌合連結して組立てる角筒形ダクト組立て用の工具であって、手持ち可能な本体の前部に開閉作動する雄ハゼＡの押込み板３と雌ハゼＢの内側間隙に嵌入する立上がり先部５を有すＪ字形をした雌ハゼの支持板４とを向き合わせ形に設け、該押込み板３と支持板４の閉じ作動により雄ハゼＡを雌ハゼＢ内に押込み掛止して連結するようにしたことを特徴とするダクト組立て用の手持ち工具にある。【選択図】図４
2007211464.tif 000002
【特許請求の範囲】
【請求項１】
ダクトの成形用素板の各連結辺に形成したボタンパンチハゼの雌雄ハゼ間を嵌合連結して組立てる角筒形ダクト組立て用の工具であって、手持ち可能な本体の前部に開閉作動する雄ハゼの押込み板と雌ハゼの内側間隙に嵌入する立上がり先部を有すＪ字形をした雌ハゼの支持板とを向き合わせ形に設け、該押込み板と支持板の閉じ作動により前記雄ハゼを雌ハゼ内に押込み掛止して連結するようにしたことを特徴とするダクト組立て用の手持ち工具。
【請求項２】
開閉作動は圧力エアーを動力とする請求項１に記載のダクト組立て用の手持ち工具。
【発明の詳細な説明】
【技術分野】
【０００１】
この発明はダクト組立て用の手持ち工具、詳しくはボタンパンチハゼの連結にて組立てする角筒形ダクト組立て用の工具に関するものである。
【背景技術】
【０００２】
従来、ダクトの成形用素板間をボタンパンチハゼの嵌合連結により組立てる角筒形ダクトは、雄ハゼを雌ハゼ内に押込み掛止する際にハンマーによって雄ハゼを叩き入れしている。
【特許文献１】なし
【発明の開示】
【発明が解決しようとする課題】
【０００３】
しかしながら、ハンマーによる雄ハゼの叩き入れ作業は熟練を要すほか、叩打音の騒音が激しく発生して作業環境を悪化させるため、夜間の作業，現場での組立て作業に支障を生じ、また叩打に伴う振動が作業者の身体に好ましくない影響を与えているという課題があった。
【課題を解決するための手段】
【０００４】
本発明はダクトの成形用素板の各連結辺に形成したボタンパンチハゼの雌雄ハゼ間を嵌合連結して組立てる角筒形ダクト組立て用の工具であって、手持ち可能な本体の前部に開閉作動する雄ハゼの押込み板と雌ハゼの内側間隙に嵌入する立上がり先部を有すＪ字形をした雌ハゼの支持板とを向き合わせ形に設け、該押込み板と支持板の閉じ作動により雄ハゼを雌ハゼ内に押込み掛止して連結するようにして、かかる課題を解決したのである。
【発明の効果】
【０００５】
本発明は以上のようにして、押込み板と支持板の閉じ作動により雄ハゼを雌ハゼ内に押込み掛止するようにしたので、ハンマーで叩き入れるような騒音は全く発生せずして夜間および現場でのダクトの組立て作業を可能にし、叩打に伴う振動等による身体への悪影響を解消することができるという効果を生ずる。
【０００６】
ハンマー作業のような力と熟練を要せずして組立て作業をすることができて、手持ち式の軽量と簡単な操作の工具であるため高齢者，女性もダクトの組立て作業に従事することができるという効果を生ずる。また扱いの自由な小型の工具によって直管形のダクトはもとより曲折管を含む各種異形状のダクトも容易に組立てることができるという効果を生ずる。
【発明を実施するための最良の形態】
【０００７】
本発明は、ダクトの成形用素板の各連結辺に形成したボタンパンチハゼの雌雄ハゼ間を嵌合連結して組立てる角筒形ダクト組立て用の工具であって、手持ち可能な本体の前部に開閉作動する雄ハゼの押込み板と雌ハゼの内側間隙に嵌入する立上がり先部を有すＪ字形をした雌ハゼの支持板とを向き合わせ形に設け、該押込み板と支持板の閉じ作動により雄ハゼを雌ハゼ内に押込み掛止して連結してダクトを組立てるようにしたのである。
【実施例１】
【０００８】
図１に示すように手持ち可能の大きさにて形成する本体１の前部支点２より上下方向に向き合い開閉するボタンパンチハゼの雄ハゼＡの押込み板３と雌ハゼＢを下支えする側面視Ｊ字形をした支持板４を前出状に突き出し形成する。
【０００９】
押込み板３と支持板４は図２に示すように前部支点２を挟んで本体１内の二股部材６ａ，６ｂに一体にて続いており、二股部材６ａ，６ｂは支点２より漸次上下方向に拡開して、拡開端を前後進するワニ口金物７の開口端内に嵌合している。８はワニ口金物７を前進させるための高圧エアーの流通路、９，１０は戻し用のばね、１１はエアー流通路８の中間に設けた開閉子で本体１の上側に表出した１１ａを取付点１２にバネ１３張り取付けした操作レバー１４にて押して通路８を開き、押しを解くと戻って通路８を閉じるようにしている。１５は流通路８の後端筒口８ａに取付けコック１６にて着脱自在に接続する圧力エアーの供給ホースで、図示してないがエアコンプレッサーに接続している。
【００１０】
図３は組立て前の角筒形ダクトの成形用素板１７ａ，１７ｂ，１７ｃ，１７ｄを示すもので、本発明の工具により組立てる際は、図４（ａ）に示すように、雄ハゼＡ端を雌ハゼＢの嵌入口に当てておいて、Ｊ字形をした支持板４の立ち上がり先部５を雌ハゼＢの内側の間隙Ｃに挿し入れてずれ動きがないようにしてから押込み板３を雄ハゼＡの上面に当てて操作レバー１４を押すのである。図４（ｂ）に示すように押込み板３は支持板４方向に閉じ締められ、雄ハゼＡは雌ハゼＢ内に嵌入して雄ハゼＡのボタンパンチを掛止することとなる。これを移動しながら繰返して雌雄ハゼの全長を嵌入して掛止するのである。さらに四隅の雌雄ハゼを同様に掛止して角筒ダクトを組立てることとなる。開閉操作は圧力エアーを動力としているので騒音を発生することなく雌雄ハゼ間を容易に押込み掛止することができるのである。
【００１１】
図５はボタンパンチハゼの雌ハゼＢを素板の内側に段落させて雌ハゼの出っ張りをなくした他の形状例を示すものである。また本発明の工具は手持ち形式により小型で取扱いが自由となるため、図６に示すような曲折形のダクト１８のほか、各種異形状のダクトの組立てにも使用することができる。
【実施例２】
【００１２】
図７は支持板４の立ち上がり先部を間隔を置いた狭幅の二股形５ａ，５ｂにした例を示すもので、狭幅の二股形５ａ，５ｂとしたことによって雌ハゼＢの間隙Ｃへの挿入操作が容易となり、特に曲折形のダクト１８などの円曲部分においては、幅広直線状の立ち上がり先部５では中間部が間隙Ｃの入口部分に当たって間隙Ｃを拡げ変形しなければ挿入することができないところ、二股形５ａ，５ｂにした場合は二股の中間部分が間隙Ｃの入口部分に当たらないので間隙Ｃを拡げ変形することなしに容易に挿し入れることができて作業性を向上することができる。
【産業上の利用可能性】
【００１３】
本発明はボタンパンチハゼにより掛止連結する直管形，曲折形その他各種異形状の角筒形ダクトの組立て用として広く利用することができるものである。
【図面の簡単な説明】
【００１４】
【図１】本発明のダクト組立て用の手持ち工具の実施例を示す斜視図
【図２】同、縦断断面図
【図３】組立て前の角筒形ダクトの成形用素板を示す正面図
【図４】（ａ）（ｂ）は雌雄ハゼ間を嵌入掛止する状態を示す部分拡大図
【図５】ボタンパンチハゼの他の成形例を示す部分図
【図６】曲折形のダクトの１例を示す平面図
【図７】立ち上がり先部を二股状にした例を示す部分斜視図
【符号の説明】
【００１５】
１は本体
２は前部支点
３は押込み板
４はＪ字形をした支持板
５は立ち上がり先部
５ａ，５ｂは二股形にした立ち上がり先部
６ａ，６ｂは二股部材
７はワニ口金物
８は流体圧通路
８ａは後端筒口
９，１０は戻し用のばね
１１は開閉子
１２は取付点
１３はばね
１４は操作レバー
１５は流体供給ホース
１６は取付金具およびコック
１７ａ，１７ｂ，１７ｃ，１７ｄは角筒形ダクト成形用の素板
１８は曲折形のダクト
Ａはボタンパンチの雄ハゼ
Ｂは同、雌ハゼ
Ｃは雌ハゼの内側の間隙
【図１】
2007211464.tif 000003
【図２】
2007211464.tif 000004
【図３】
2007211464.tif 000005
【図４】
2007211464.tif 000006
【図５】
2007211464.tif 000007
【図６】
2007211464.tif 000008
【図７】
2007211464.tif 000009